(57)【特許請求の範囲】
【請求項１】
情報表示部に多数の情報表示素子が設けられ、この情報表示素子から発せられる情報光により前記情報表示部に情報を表示する情報表示装置であって、前記情報表示部には、一部の情報表示素子から発せられる情報光のみによって前記情報を表示するように構成されこの一部の情報表示素子から発せられる情報光の振動方向を所定方向に揃えて偏光情報光とする偏光機能と、前記一部の情報表示素子以外の他の情報表示素子から発せられる情報光を光学的に可変して偽情報形成光としこの偽情報形成光と前記一部の情報表示素子から発せられる偏光情報光とで偽情報を形成する情報光可変機能とが設けられ、また、前記情報表示部には、前記一部の情報表示素子以外の他の情報表示素子とが交互に配設され、また、前記一部の情報表示素子から発せられる偏光情報光のみを透過する偏光手段の使用者が前記情報表示部を見た場合、この偏光手段が前記偽情報中の前記偽情報形成光を除外し前記一部の情報表示素子から発せられる偏光情報光のみを選択的に透過することで前記使用者は前記情報を看取でき、一方、前記偏光手段の不使用者が前記情報表示部を見た場合、前記不使用者は前記偽情報のみを看取できるように構成されており、前記偏光機能は、前記情報表示部の前方に設けられ前記情報表示素子から発せられる前記情報光の振動方向を一定方向に揃える偏光部、並びに、この偏光部の前方に設けられ該偏光部を透過した前記情報光の内の前記一部の情報表示素子から発せられる情報光のみの振動方向を所定方向に位相差する位相差部及び前記一部の情報表示素子以外の他の情報表示素子から発せられる情報光の振動方向を位相差しない非位相差部が交互に混在せしめられた一枚の位相差板により発揮されるように構成され、更に、前記情報光可変機能は、前記一部の情報表示素子から発せられる情報光と該一部の情報表示素子に隣接する該一部の情報表示素子以外の他の情報表示素子から発せられる偽情報形成光とで偽情報が形成されるように構成されていることを特徴とする情報表示装置。
【請求項２】
情報表示部に多数の情報表示素子が設けられ、この情報表示素子から発せられる情報光により前記情報表示部に情報を表示する情報表示装置であって、前記情報表示部には、一部の情報表示素子から発せられる情報光のみによって前記情報を表示するように構成されこの一部の情報表示素子以外の他の情報表示素子から発せられる情報光の振動方向を所定方向に揃えて偏光光とする偏光機能と、この偏光光を光学的に可変して偏光偽情報形成光としこの偏光偽情報形成光と前記一部の情報表示素子から発せられる情報光とで偽情報を形成する情報光可変機能とが設けられ、また、前記情報表示部には、前記一部の情報表示素子と該一部の情報表示素子以外の他の情報表示素子とが交互に配設され、また、前記偏光偽情報形成光を透過しない偏光手段の使用者が前記情報表示部を見た場合、この偏光手段が前記偽情報中の前記偏光偽情報形成光を除外し前記一部の情報表示素子から発せられる情報光のみを選択的に透過することで前記使用者は前記情報を看取でき、一方、前記偏光手段の不使用者が前記情報表示部を見た場合、前記不使用者は前記偽情報のみを看取できるように構成されており、前記偏光機能は、前記情報表示部の前方に設けられ前記情報表示素子から発せられる前記情報光の振動方向を一定方向に揃える偏光部、並びに、この偏光部の前方に設けられ該偏光部を透過した前記情報光の内の前記一部の情報表示素子以外の他の情報表示素子から発せられる情報光のみの振動方向を所定方向に位相差する位相差部及び前記一部の情報表示素子から発せられる情報光の振動方向を位相差しない非位相差部が交互に混在せしめられた一枚の位相差板により発揮されるように構成され、更に、前記情報光可変機能は、前記一部の情報表示素子から発せられる情報光と該一部の情報表示素子に隣接する該一部の情報表示素子以外の他の情報表示素子から発せられる偽情報形成光とで偽情報が形成されるように構成されていることを特徴とする情報表示装置。
【請求項３】
請求項１，２いずれか１項に記載の情報表示装置において、前記偏光手段として、偏光フィルターが採用されていることを特徴とする情報表示装置。
【請求項４】
請求項３記載の情報表示装置において、前記偏光フィルターとして、偏光メガネが採用されていることを特徴とする情報表示装置。
【請求項５】
請求項１〜４いずれか１項に記載の情報表示装置において、前記位相差部として、１／２波長板が採用されていることを特徴とする情報表示装置。
【請求項６】
請求項１〜５いずれか１項に記載の情報表示装置において、前記一部の情報表示素子の位置が固定されていることを特徴とする情報表示装置。
【請求項７】
請求項１〜６いずれか１項に記載の情報表示装置において、前記一部の情報表示素子及び該一部の情報表示素子以外の他の情報表示素子は、夫々帯状に配設されていることを特徴とする情報表示装置。
【請求項８】
請求項７記載の情報表示装置において、前記帯状に配設された一部の情報表示素子及び帯状に配設された該一部の情報表示素子以外の他の情報表示素子は、夫々情報表示素子の一列分ごとに区画された状態で配設されていることを特徴とする情報表示装置。
【請求項９】
請求項１〜８いずれか１項に記載の情報表示装置において、前記情報表示部が携帯情報表示装置のディスプレイであることを特徴とする情報表示装置。
【請求項１０】
請求項１〜９いずれか１項に記載の情報表示装置において、前記偏光部として、透明な合成樹脂フィルムを一軸延伸した偏光フィルムが採用されていることを特徴とする情報表示装置。
【発明の詳細な説明】
【０００１】
【発明の属する技術分野】
本発明は、表示された情報を特定の人のみが看取できる情報表示装置に関するものである。
【０００２】
【従来の技術及び発明が解決しようとする課題】
ノートパソコンや携帯電話等の携帯情報表示装置には、例えば電車内で使用する際、ディスプレイに表示された情報を他人に見られないようにする為の情報保護技術が要望されている。
【０００３】
この為、例えば表示された情報の視野角を狭隘化する方法が提案されているが、これでは完全な情報の保護は達成されない。
【０００４】
本発明は、表示された情報が特定の人にしか看取できない完全な情報保護を達成した技術を提供するものである。
【０００５】
【課題を解決するための手段】
添付図面を参照して本発明の要旨を説明する。
【０００６】
情報表示部２に多数の情報表示素子１が設けられ、この情報表示素子１から発せられる情報光により前記情報表示部２に情報を表示する情報表示装置であって、前記情報表示部２には、一部の情報表示素子１ａから発せられる情報光のみによって前記情報を表示するように構成されこの一部の情報表示素子１ａから発せられる情報光の振動方向を所定方向に揃えて偏光情報光とする偏光機能と、前記一部の情報表示素子１ａ以外の他の情報表示素子１ｂから発せられる情報光を光学的に可変して偽情報形成光としこの偽情報形成光と前記一部の情報表示素子１ａから発せられる偏光情報光とで偽情報を形成する情報光可変機能とが設けられ、また、前記情報表示部２には、前記一部の情報表示素子１ａ以外の他の情報表示素子１ｂとが交互に配設され、また、前記一部の情報表示素子１ａから発せられる偏光情報光のみを透過する偏光手段の使用者が前記情報表示部２を見た場合、この偏光手段が前記偽情報中の前記偽情報形成光を除外し前記一部の情報表示素子１ａから発せられる偏光情報光のみを選択的に透過することで前記使用者は前記情報を看取でき、一方、前記偏光手段の不使用者が前記情報表示部２を見た場合、前記不使用者は前記偽情報のみを看取できるように構成されており、前記偏光機能は、前記情報表示部２の前方に設けられ前記情報表示素子１から発せられる前記情報光の振動方向を一定方向に揃える偏光部４、並びに、この偏光部４の前方に設けられ該偏光部４を透過した前記情報光の内の前記一部の情報表示素子１ａから発せられる情報光のみの振動方向を所定方向に位相差する位相差部５及び前記一部の情報表示素子１ａ以外の他の情報表示素子１ｂから発せられる情報光の振動方向を位相差しない非位相差部７が交互に混在せしめられた一枚の位相差板６により発揮されるように構成され、更に、前記情報光可変機能は、前記一部の情報表示素子１ａから発せられる情報光と該一部の情報表示素子１ａに隣接する該一部の情報表示素子１ａ以外の他の情報表示素子１ｂから発せられる偽情報形成光とで偽情報が形成されるように構成されていることを特徴とする情報表示装置に係るものである。
【０００７】
また、情報表示部２に多数の情報表示素子１が設けられ、この情報表示素子１から発せられる情報光により前記情報表示部２に情報を表示する情報表示装置であって、前記情報表示部２には、一部の情報表示素子１ａから発せられる情報光のみによって前記情報を表示するように構成されこの一部の情報表示素子１ａ以外の他の情報表示素子１ｂから発せられる情報光の振動方向を所定方向に揃えて偏光光とする偏光機能と、この偏光光を光学的に可変して偏光偽情報形成光としこの偏光偽情報形成光と前記一部の情報表示素子１ａから発せられる情報光とで偽情報を形成する情報光可変機能とが設けられ、また、前記情報表示部２には、前記一部の情報表示素子１ａと該一部の情報表示素子１ａ以外の他の情報表示素子１ｂとが交互に配設され、また、前記偏光偽情報形成光を透過しない偏光手段の使用者が前記情報表示部２を見た場合、この偏光手段が前記偽情報中の前記偏光偽情報形成光を除外し前記一部の情報表示素子１ａから発せられる情報光のみを選択的に透過することで前記使用者は前記情報を看取でき、一方、前記偏光手段の不使用者が前記情報表示部２を見た場合、前記不使用者は前記偽情報のみを看取できるように構成されており、前記偏光機能は、前記情報表示部２の前方に設けられ前記情報表示素子１から発せられる前記情報光の振動方向を一定方向に揃える偏光部４、並びに、この偏光部４の前方に設けられ該偏光部４を透過した前記情報光の内の前記一部の情報表示素子１ａ以外の他の情報表示素子１ｂから発せられる情報光のみの振動方向を所定方向に位相差する位相差部５及び前記一部の情報表示素子１ａから発せられる情報光の振動方向を位相差しない非位相差部７が交互に混在せしめられた一枚の位相差板６により発揮されるように構成され、更に、前記情報光可変機能は、前記一部の情報表示素子１ａから発せられる情報光と該一部の情報表示素子１ａに隣接する該一部の情報表示素子１ａ以外の他の情報表示素子１ｂから発せられる偽情報形成光とで偽情報が形成されるように構成されていることを特徴とする情報表示装置に係るものである。
【０００８】
また、請求項１，２いずれか１項に記載の情報表示装置において、前記偏光手段として、偏光フィルターが採用されていることを特徴とする情報表示装置に係るものである。
【０００９】
また、請求項３記載の情報表示装置において、前記偏光フィルターとして、偏光メガネが採用されていることを特徴とする情報表示装置に係るものである。
【００１０】
また、請求項１〜４いずれか１項に記載の情報表示装置において、前記位相差部５として、１／２波長板が採用されていることを特徴とする情報表示装置に係るものである。
【００１１】
また、請求項１〜５いずれか１項に記載の情報表示装置において、前記一部の情報表示素子１ａの位置が固定されていることを特徴とする情報表示装置に係るものである。
【００１２】
また、請求項１〜６いずれか１項に記載の情報表示装置において、前記一部の情報表示素子１ａ及び該一部の情報表示素子１ａ以外の他の情報表示素子１ｂは、夫々帯状に配設されていることを特徴とする情報表示装置に係るものである。
【００１３】
また、請求項７記載の情報表示装置において、前記帯状に配設された一部の情報表示素子１ａ及び帯状に配設された該一部の情報表示素子１ａ以外の他の情報表示素子１ｂは、夫々情報表示素子１の一列分ごとに区画された状態で配設されていることを特徴とする情報表示装置に係るものである。
【００１４】
また、請求項１〜８いずれか１項に記載の情報表示装置において、前記情報表示部２が携帯情報表示装置のディスプレイであることを特徴とする情報表示装置に係るものである。
【００１５】
また、請求項１〜９いずれか１項に記載の情報表示装置において、前記偏光部４として、透明な合成樹脂フィルムを一軸延伸した偏光フィルムが採用されていることを特徴とする情報表示装置に係るものである。
【００１６】
【発明の作用及び効果】
一部の情報表示素子１ａから発せられた情報光と、該一部の情報表示素子１ａ以外の他の情報表示素子１ｂから発せられる光を光学的に可変した偽情報形成光とで偽情報を形成する。
【００１７】
情報光のみを分取する手段を持たない者は、前記一部の情報表示素子１ａから発せられた情報光、即ち、情報表示部２に表示された情報を正確に看取することはできず、偽情報を看取することになり、一方、情報光のみを分取する手段を持つ者は情報表示部２に表示された情報を正確に看取することができる。
【００１８】
本発明は上述のように構成したから、表示された情報が特定の人にしか看取できない完全な情報保護を達成した極めて画期的な情報保護技術となる。
【００１９】
【発明の実施の態様】
図面は本発明の一実施例を図示したものであり、以下に説明する。
【００２０】
本実施例は、情報表示部２（例えば、液晶ディスプレイ）に多数の情報表示素子１（例えば、ＲＧＢで構成される液晶素子）が設けられ、該情報表示素子１から発せられる情報光により該情報表示部２に情報を表示する情報表示装置であって、情報表示部２は、一部の情報表示素子１ａから発せられる情報光によって前記情報を表示するように構成され、更に、この情報表示部２には、該一部の情報表示素子１ａ以外の他の情報表示素子１ｂから発せられる光を光学的に可変して偽情報形成光とすることにより該偽情報形成光と前記情報光とで所定の偽情報を形成する情報光可変機能が設けられているものである。
【００２１】
また、情報表示部２に表示された情報を看取したい者には偽情報中の情報光のみを分取して該情報を看取できるように、情報表示部２には、一部の情報表示素子１ａから発せられる情報光の振動方向を所定方向として偏光情報光とする偏光機能が設けられ、情報光可変機能は、前記一部の情報表示素子１ａ以外の他の情報表示素子１ｂから発せられる光を光学的に可変して偽情報形成光とし、この偽情報形成光と前記一部の情報表示素子１ａから発せられる偏光情報光とで所定の偽情報を形成するように構成され、一方、前記偏光情報光を透過するように構成した偏光フィルター、具体的には偏光メガネ３を設け、この偏光メガネ３の使用者が情報表示部２を見た場合、該偏光メガネ３が前記偽情報形成光を透過せず前記偏光情報光のみを透過することで該使用者は前記偏光情報光による情報を看取でき、偏光メガネ３の不使用者が情報表示部２を見た場合、該不使用者は前記偽情報形成光と前記偏光情報光とから成る前記偽情報しか看取できないように構成されている。
【００２２】
更に詳述すると、情報表示部２において、一部の情報表示素子１ａと該一部の情報表示素子１ａ以外の他の情報表示素子１ｂとは交互に配設されている。
【００２３】
また、一部の情報表示素子１ａ及び他の情報表示素子１ｂは夫々帯状に配設されている。
【００２４】
また、帯状に配設された一部の情報表示素子１ａ及び帯状に配設された該一部の情報表示素子１ａ以外の他の情報表示素子１ｂは夫々情報表示素子１の一列分ごと（情報表示素子１の一個分ごと）に区画された状態で配設されている。従って、情報表示素子１の配列は、例えば、奇数列は一部の情報表示素子１ａ、偶数列は他の情報表示素子１ｂとなる。
【００２５】
尚、この情報表示素子１一個分は、例えば、情報表示部２がカラーディスプレイの場合、Ｒ素子，Ｇ素子，Ｂ素子のワンセット（Ｒ，Ｇ，Ｂトライアッドの一組）となる。
【００２６】
この情報表示部２の情報表示素子１の上方には、該情報表示素子１から発せられる情報光の振動方向を一定方向に揃える偏光部４が設けられている。
【００２７】
この偏光部４は、例えば透明な合成樹脂フィルムを一軸延伸した偏光フィルムが採用される。
【００２８】
尚、液晶ディスプレイの場合には、情報表示素子１の上部に偏光フィルムが元々設けられているタイプが殆どである。従って、この元々設けられている偏光フィルムをそのまま偏光部４として良い。
【００２９】
この偏光部４の上方には、前記一部の情報表示素子１ａから発せられた情報光の振動方向を所定方向に位相差し、その他の光の振動方向はそのままとする位相差板６が設けられている。
【００３０】
この位相差板６には、前記一部の情報表示素子１ａの上方に位置し該一部の情報表示素子１ａから発せられた情報光の振動方向（特定の波長域の光の振動方向）を所定方向に位相差する位相差部５と、該一部の情報表示素子１ａ以外の他の情報表示素子１ｂの上方に位置し該他の情報表示素子１ｂから発せられた光の振動方向を位相差しない非位相差部７とが設けられている。
【００３１】
また、位相差板６は、公知の１／２波長板が採用されている。
【００３２】
この公知の１／２波長板とは、特定の波長域の光の振動方向を９０°回転させる性質を有するものであり、例えば、前記偏光部４の透過軸に対して±４５°に傾斜する光学的主軸を有するものである。
【００３３】
この公知の１／２波長板は、複屈析性を有しない透明な支持材（例えば厚さ１ｍｍ程度のガラス板やセルロースアセテートブチレート（ＣＡＢ）板等）上に接着剤（例えば紫外線硬化性樹脂）を介して可視光領域において位相差機能を有する部材（１／２波長板。例えば、ポリカーボネートフィルム（ＰＣフィルム）若しくはポリビニルアルコールフィルム等）を貼り合わせ、この位相差機能を有する部材の所定部分を超硬刃（ノコ刃）等により切削除去して該部材に一側から他側に延設される複数の平行な凹溝を並設形成し、この凹溝を適宜な合成樹脂、例えば無色透明にして前記位相差機能を有する部材と屈折率が略同一の紫外線硬化型樹脂により埋めたものである。
【００３４】
また、凹溝の巾及び凹溝同志のピッチは、前記帯状の一部の情報表示素子１ａの巾及び該帯状の一部の情報表示素子１ａ以外の他の情報表示素子１ｂの巾に夫々対応するように設定されている。
【００３５】
従って、この位相差板６において、前記紫外線硬化型樹脂を埋めた部分が、通過する情報光の偏光の振動方向を回転させない部位（非位相差部７）、また、残余の部分が、通過する情報光の偏光の振動方向を９０°回転させる部位（位相差部５）となる。
【００３６】
情報光可変機能は、一部の情報表示素子１ａから発せられる情報光と該一部の情報表示素子１ａに隣接する他の情報表示素子１ｂから発せられる偽情報形成光とで偽情報を形成するように構成されている。
【００３７】
この情報光可変機能は、情報表示部２が接続されている情報処理装置（例えば、ノート型コンピュータや携帯電話）に、例えばプログラムソフトとして組み込まれている。
【００３８】
従って、情報表示部２に情報を表示する際、前記プログラムソフトにより、前記一部の情報表示素子１ａからは前記情報を表示する為の情報光が、また、前記一部の情報表示素子１ａ以外の他の情報表示素子１ｂからは前記情報光と混ざって偽情報となる為の光学的に可変された偽情報形成光が発せられることになる。
【００３９】
また、このような制御を行うと、偽情報形成光を発する部位の分、表示される情報の解像度が悪化するか、若しくは、アスペクト比（表示される情報の縦横の比）が変化することになる（このアスペクト比の変化は、解像度を悪化させずに情報を表示しようとすると、偽情報形成光を発する情報表示素子１の分、情報の表示に必要な情報表示素子１の数が増えることによる。）。この場合、アスペクト比が変化すると、情報が非常に見にくいものとなる為、解像度が悪化する方を選択すると良い。また、解像度が悪化する方を選択する場合、解像度の低下を可及的に低減する為の情報変換機能（例えば、ある光度の情報光を更に強めて発する機能や、ある色相の情報光を近接する情報光とで本来の情報光と同様であると錯覚させるように発する機能）を前記情報光可変機能に付与すると良い。
【００４０】
また、一部の情報表示素子１ａ以外の他の情報表示素子１ｂから発せられる光を光学的に可変して偽情報形成光とする制御は、該一部の情報表示素子１ａ以外の他の情報表示素子１ｂから発せられる本来の光の色相を反転するような制御、例えば、本来の光が「青」である場合、反転色である「黄色」に可変するような制御を行うと良い。このような制御を行うと、情報光のみを選択して看取する手段を持たない者には、情報表示部２が「白色」に見えることになる。
【００４１】
また、その例の制御として、例えば一部の情報表示素子１ａから発せられる情報光が「青」であった場合、上下に隣接する他の情報表示素子１ｂから発せられる光を夫々「赤」と「緑」に可変して該三個の情報表示素子１から発せられる光で「白色」の偽情報となるような制御を行っても良い。このような制御の場合でも、情報光のみを選択して看取する手段を持たない者には、情報表示部２が「白色」に見えることになる。
【００４２】
尚、このように色相で光を光学的に可変する制御でなく、光度の可変によって光の色を光学的に可変する制御や、色相と光度の双方で光の色を光学的に可変する制御等を採用しても良い。また、情報表示部２の全体を同一の光学的状態とする制御でなく、情報表示部２のある部分の光学的状態を可変する制御を採用しても良い。
【００４３】
本実施例は上述のように構成したから、情報表示部２からは情報光と偽情報形成光との双方とが発せられることになり、情報光のみを分取する手段を持たない者は該情報光と偽情報形成光とによって形成される偽情報しか看取できず、また、情報光のみを分取する手段を持つ者は情報光による情報を看取でき、よって、特定の者のみが情報表示部２に表示された情報を看取できる極めて実用性に秀れた情報表示装置となる。
【００４４】
即ち、例えば、ノート型コンピュータを電車中等で使用しても、使用者は情報光のみを分取する手段を使用することで情報表示部２に表示された情報を正確に看取でき、その他の者は情報光のみを分取する手段を持たないから、情報表示部２に表示された情報を看取できず、よって、該情報表示部２に表示される情報の完全な保護を達成することができる。
【００４５】
また、情報光と偽情報形成光とで偏光を異ならせ（光学的主軸の方向を異ならせ）、偏光した情報光のみを通過する偏光メガネ３の使用の有無により情報を看取できるか否かが決定される構成であるから、情報を看取したい者が特殊な訓練を行ったりする必要もなく、単に偏光メガネ３を使用するだけで情報を看取することができ、この点においても実用性に秀れることになる。
【００４６】
また、情報光と偽情報形成光とで偏光を異ならせる構成は、情報光と偽情報形成光とを偏光部４を通過せしめることにより一旦所定方向に揃えた後、情報光のみを位相差部５を通過せしめることにより、該情報光の偏光を偽情報形成光と異ならせる構成である為、情報光の偏光と偽情報形成光の偏光とが確実に異なることになり、単に偏光メガネ３を使用するだけであっても情報を正確に看取することができる。
【００４７】
また、情報光と偽情報形成光とで偏光を異ならせる構成は、偏光板（偏光フィルム）と公知の１／２位相差板とによって簡単に実現することができ、この点においても実用性に秀れることになる。
【００４８】
また、情報光が発せられる部位と偽情報形成光が発せられる部位は夫々帯状であるから、情報光と偽情報形成光とで偏光を異ならせる為の偏光板や公知の１／２位相差板の配設は簡易であり、この点においても実用性に秀れることになる。
【００４９】
尚、例えば、情報光を位相差せず、偽情報形成光を位相差し、この位相差された偽情報形成光を通過させない構成の偏光フィルター（偏光メガネ）を使用する方法でも、本実施例と同様である。また、一部の情報表示素子１ａと他の情報表示素子１ｂとが、例えば千鳥状に配設されているような構成であっても良い。
【図面の簡単な説明】
【図１】  本実施例の説明図である。
【図２】  本実施例の情報表示部２の一部の説明拡大図である。
【符号の説明】
１  情報表示素子
１ａ  一部の情報表示素子
１ｂ  他の情報表示素子
２  情報表示部
３  偏光メガネ
４  偏光部
５  位相差部
６  位相差板
７  非位相差部
【図１】
0003959292.tif 000002
【図２】
0003959292.tif 000003